(57)【要約】【課題】空気調和機において、カビ防止運転をおこなった場合、室内環境の悪化、運転が長時間かかるなどの問題があった。また、従来のカビ防止運転ではユーザーの利便性はあまり考慮されていなかった。【解決手段】かび防止の運転において停止前の冷房運転の状況、すなわち相対湿度、運転時間、使用風量、圧縮機運転周波数等により、熱交換器の湿り状態を推定し、それに基づいて乾燥運転の際の時間・風量を変化させることで、確実に熱交換器を乾燥させ、かつ的確に終了させることが出来る。【選択図】図２
2007139352.tif 000002
【特許請求の範囲】
【請求項１】
冷房運転もしくは除湿運転をおこなった後、カビ防止を目的とした暖房もしくは送風による乾燥運転において、エアコン停止前の相対湿度により、その乾燥運転の時間を変更することを特徴とする空気調和機。
【請求項２】
前述の乾燥運転にてエアコン停止前の相対湿度により、その乾燥運転実施の際の風量を変更することを特徴とする請求項１記載の空気調和機。
【請求項３】
前述の乾燥運転にてエアコン停止前の運転時間により、その乾燥運転の時間を変更することを特徴とする請求項１記載の空気調和機。
【請求項４】
前述の乾燥運転にてエアコン停止前の運転時間により、その乾燥運転実施の際の風量を変更することを特徴とする請求項１記載の空気調和機。
【請求項５】
前述の乾燥運転にてエアコン停止前の使用風量により、その乾燥運転の時間を変更することを特徴とする請求項１記載の空気調和機。
【請求項６】
前述の乾燥運転にてエアコン停止前の使用風量により、その乾燥運転実施の際の風量を変更することを特徴とする請求項１記載の空気調和機。
【請求項７】
前述の乾燥運転にてエアコン運転中の圧縮機運転周波数を記憶し、エアコン停止時に演算により求めた平均運転周波数により、その乾燥運転の時間を変更することを特徴とする請求項１記載の空気調和機。
【請求項８】
前述の乾燥運転にてエアコン運転中の圧縮機運転周波数を記憶し、エアコン停止時に演算により求めた平均運転周波数により、その乾燥運転実施の際の風量を変更することを特徴とする請求項１記載の空気調和機。
【発明の詳細な説明】
【技術分野】
【０００１】
本発明は空気調和機に関するものであり、更に具体的には空気調和機の室内ユニット内部におけるカビ防止運転に関するものである。
【背景技術】
【０００２】
空気調和機において冷房運転もしくは除湿運転をおこなった後（以降総称して冷房運転と記す）、結露水を生じることがあり、その場合空気調和機室内ユニット（以下、室内機）内部は高湿度状態となり、カビなどの菌類が繁殖しやすい環境となることが知られている。そして、カビなどの菌類が繁殖すると、空気調和機を運転するとき、吹き出し口から悪臭が生じたり、菌類の死骸が放出される事態も考えられ、その場合にはアレルギーの原因となることがあった。
【０００３】
この解決の為、従来技術として、冷房運転をおこなった後、自動的に送風運転もしくは暖房運転（以降乾燥運転）をおこない、空気調和機室内ユニット内部を乾燥させ、カビなどの菌類の成長を抑制するものがあった（例えば、特許文献１参照）。
【特許文献１】特開平１０−６２０００号公報
【発明の開示】
【発明が解決しようとする課題】
【０００４】
しかしながら、前記従来の構成において、冷房運転をおこなった後、室内機内部を乾燥させる為の乾燥運転を実施していたが、冷房運転の条件によっては（例えば、高湿状態や長時間運転された場合等）、完全に乾燥できるものではなかった。また、湿度の低い状態での運転が継続していた場合等、殆ど熱交が湿っていない状況であるのに対し、必要以上に乾燥運転を実施することで音が大きくなったり、時間が延びたりとお客様の不満を増長することとなる。
【課題を解決するための手段】
【０００５】
前記従来の課題を解決するために本発明の空気調和機は、冷房運転をおこなった後の乾燥運転を、その事前の冷房運転の時間・風量および温湿度条件により決まる熱交の湿り状態に基づき、制御仕様を変更することで的確な乾燥運転を実現できるものである。
【発明の効果】
【０００６】
本発明の空気調和機は、乾燥運転を実施する際の時間・風量を事前の冷房運転時の運転状況により決定することで、十分に乾燥していない状況で乾燥運転を終了することで生じるカビの成長という課題を防止すると共に、逆に十分に乾燥しているのに必要以上に運転が継続してしまうのを防止することが出来る。
【発明を実施するための最良の形態】
【０００７】
以下本発明の実施の形態について図面を参照して説明する。なお、この実施の形態によって本発明が限定されるものではない。
【０００８】
図１は、本発明の実施の形態における空気調和機の概略図を示すものである。
【０００９】
図１において、空気調和機１は、室外機２と、室内機３で構成されている。室外機３には圧縮機４、四方弁５、膨張弁６、室外熱交換器７、室外ファン８、吐出温センサ９、室外配管温センサ１０、外気温センサ１１が設けられている。室内機３には、室内熱交換器１２、室内ファン１３、換気ファン１４、室内配管温度センサ１７、吸い込みセンサ１８
、湿度センサ１９、また図示しない、吸い込み部、吹き出し部、上下羽根が設けられており、室外機と室内機が冷凍サイクルを形成するように接続され、四方弁５を切り替えることによって冷房と暖房をおこなわれるようになっている。また、換気ファン１４においては、ダクトで室内と室外が連結されており、室内の空気を室外に排出できるようになっている。
【００１０】
室内熱交換器１２は前側熱交換器１２ａと後側熱交換器１２ｂとに分かれており、前側熱交換器１２ａと後側熱交換器１２ｂとがドライ二方弁１５とキャピラリチューブ１６でなる絞り機構を介して接続されている。ドライ二方弁１５を全開にすることで、冷房運転や暖房運転をおこない、閉状態にしかつ膨張弁６を全開または略全開にすることで、前側熱交換器１２ａを凝縮器、後側熱交換器１２ｂを蒸発器とできるので、いわゆる除湿運転が可能となっている。また、室外機２、室内機３にはそれぞれに室外制御部２０と室内制御部２１とが設けられており、両制御部２０、２１は接続線によって接続されている。
【００１１】
室内制御部２１には、室内機３の外に設けられたリモコン２３から送信される赤外線信号を受信する受信部２２を有しており、ユーザーがリモコン２３上で様々な操作をおこなうことが可能となっている。
【００１２】
（実施の形態１）
図２は、本発明の第１の実施の形態におけるフローチャートである。
図２において２０２は冷房運転終了手段であり、その信号を受けると２０３の湿度測定手段にて部屋の相対湿度が記憶される。その相対湿度と予め設定された規定の湿度とを２０４の比較手段にて比較する。そしてその結果に基づき、乾燥運転の時間を変更するものである。つまり多湿時には時間を長く延ばして完全に熱交換器を乾燥させることが可能であり、また低湿度の場合は必要以上に時間を延ばすことなく運転を終了することができる。
【００１３】
（実施の形態２）
図３は、本発明の第２の実施の形態におけるフローチャートである。
図３において３０２は冷房運転終了手段であり、その信号を受けると３０３の湿度測定手段にて部屋の相対湿度が記憶される。その相対湿度と予め設定された規定の湿度とを３０４の比較手段にて比較する。そしてその結果に基づき、乾燥運転の際、室内機の風量を変更するものである。つまり多湿時には風量を上昇させて完全に熱交換器を乾燥させることが可能であり、また低湿度の場合は必要以上に風量を上げることなく運転を終了することができる。
【００１４】
（実施の形態３）
図４は、本発明の第３の実施の形態におけるフローチャートである。
図４において４０２は冷房運転終了手段であり、その信号を受けると４０３の運転時間計測手段にて運転時間が測定される。その運転時間と予め設定された運転時間とを４０４の比較手段にて比較する。そしてその結果に基づき、乾燥運転の時間を変更するものである。つまり熱交換器が十分に湿っている可能性が大きい長時間運転された場合は時間を長く延ばして完全に熱交換器を乾燥させることが可能であり、また短時間しか運転されていない場合は必要以上に時間を延ばすことなく運転を終了することができる。
【００１５】
（実施の形態４）
図５は、本発明の第４の実施の形態におけるフローチャートである。
図５において５０２は冷房運転終了手段であり、その信号を受けると５０３の運転時間計測手段にて運転時間が測定される。その運転時間と予め設定された運転時間とを５０４の比較手段にて比較する。そしてその結果に基づき、乾燥運転の際、室内機の風量を変更するものである。つまり熱交換器が十分に湿っている可能性が大きい長時間運転された場合
は風量を上昇させて完全に熱交換器を乾燥させることが可能であり、また短時間しか運転されていない場合は必要以上に風量を上げることなく運転を終了することができる。
【００１６】
（実施の形態５）
図６は、本発明の第５の実施の形態におけるフローチャートである。
図６において６０２は冷房運転終了手段であり、その信号を受けると６０３の使用風量認識手段にて使用風量が認識される。その使用風量と予め設定された風量とを６０４の比較手段にて比較する。そしてその結果に基づき、乾燥運転の時間を変更するものである。つまり熱交換器が十分に湿っている可能性が大きい低風量で使用された場合は時間を長く延ばして完全に熱交換器を乾燥させることが可能であり、また高風量で使用され低圧が高く湿りづらい運転がされている場合は必要以上に時間を延ばすことなく運転を終了することができる。
【００１７】
（実施の形態６）
図７は、本発明の第６の実施の形態におけるフローチャートである。
図７において７０２は冷房運転終了手段であり、その信号を受けると７０３の使用風量認識手段にて使用風量が認識される。その使用風量と予め設定された風量とを７０４の比較手段にて比較する。そしてその結果に基づき、乾燥運転の際、室内機の風量を変更するものである。つまり熱交換器が十分に湿っている可能性が大きい低風量で使用された場合は乾燥時の風量を上昇させて完全に熱交換器を乾燥させることが可能であり、また高風量で使用され低圧が高く湿りづらい運転がされている場合は必要以上に風量を上げることなく運転を終了することができる。
【００１８】
（実施の形態７）
図８は、本発明の第７の実施の形態におけるフローチャートである。
図８において８０２は運転周波数の積算手段であり、８０３は冷房運転終了手段である。その停止信号を受けると８０４により運転周波数が平均化され、８０５の記憶手段にてその平均周波数が記憶される。その平均周波数と予め設定された周波数とを８０６の比較手段にて比較する。そしてその結果に基づき、乾燥運転の時間を変更するものである。つまり熱交換器が十分に湿っている可能性が高い周波数で使用された場合は時間を長く延ばして完全に熱交換器を乾燥させることが可能であり、また低い周波数で運転がされている場合は必要以上に時間を延ばすことなく運転を終了することができる。
【００１９】
（実施の形態８）
図９は、本発明の第８の実施の形態におけるフローチャートである。
図９において９０２は運転周波数の積算手段であり、９０３は冷房運転終了手段である。その停止信号を受けると９０４により運転周波数が平均化され、９０５の記憶手段にてその平均周波数が記憶される。その平均周波数と予め設定された周波数とを９０６の比較手段にて比較する。そしてその結果に基づき、乾燥運転の時間を変更するものである。つまり熱交換器が十分に湿っている可能性が高い周波数で使用された場合は乾燥時の風量を上昇させて完全に熱交換器を乾燥させることが可能であり、また低い周波数で運転がされている場合は必要以上に風量を上げることなく運転を終了することができる。
【産業上の利用可能性】
【００２０】
以上のように、本発明にかかる空気調和機は、室内の熱交換器を乾燥させることで実施するカビ防止の運転において、停止前の冷房運転の状況により、乾燥運転の際の時間・風量を変化させることで、確実に熱交換器を乾燥させ、かつ的確に終了させることが出来る。
【図面の簡単な説明】
【００２１】
【図１】本発明の実施の形態における空気調和機の概略図
【図２】本発明の実施の形態１におけるフローチャート
【図３】本発明の実施の形態２におけるフローチャート
【図４】本発明の実施の形態３におけるフローチャート
【図５】本発明の実施の形態４におけるフローチャート
【図６】本発明の実施の形態５におけるフローチャート
【図７】本発明の実施の形態６におけるフローチャート
【図８】本発明の実施の形態７におけるフローチャート
【図９】本発明の実施の形態８におけるフローチャート
【符号の説明】
【００２２】
１  空気調和機
２  室外機
３  室内機
４  圧縮機
５  四方弁
６  膨張弁
７  室外熱交換器
８  室外ファン
９  吐出温センサ
１０  室外配管温センサ
１１  外気温センサ
１２  室内熱交換器
１２ａ  後側熱交換器
１２ｂ  前側熱交換器
１３  室内ファン
１４  換気ファン
１５  ドライ二方弁
１６  キャピラリチューブ
１７  室内配管温センサ
１８  吸い込みセンサ
１９  湿度センサ
２０  室外制御部
２１  室内制御部
２２  受信部
２３  リモコン
【図１】
2007139352.tif 000003
【図２】
2007139352.tif 000004
【図３】
2007139352.tif 000005
【図４】
2007139352.tif 000006
【図５】
2007139352.tif 000007
【図６】
2007139352.tif 000008
【図７】
2007139352.tif 000009
【図８】
2007139352.tif 000010
【図９】
2007139352.tif 000011